【手続補正書】
【提出日】平成17年1月27日(2005.1.27)
【手続補正１】
【補正対象書類名】特許請求の範囲
【補正対象項目名】全文
【補正方法】変更
【補正の内容】
【特許請求の範囲】
【請求項１】
赤色光と青色光の少なくとも２波長に対応した光学素子であって、位相段差を備え、前記位相段差を前記青色光が透過する際に生じる光路長の差が、前記青色光の波長の５倍であることを特徴とする光学素子。
【請求項２】
赤色光と青色光の少なくとも２波長に対応した光学レンズであって、位相段差を備え、前記位相段差を前記青色光が透過する際に生じる光路長の差が、前記青色光の波長の５倍であることを特徴とする光学レンズ。
【請求項３】
前記青色光は前記光学レンズによって基材厚がｔ１の基材を通して集光され、前記赤色光は基材厚がｔ２の基材を通して集光され、ｔ１＜ｔ２である請求項２に記載の光学レンズ。
【請求項４】
前記光学レンズは、２種類の異なる材質で形成された屈折型レンズである請求項３に記載の光学レンズ。
【請求項５】
液晶型位相変調素子をさらに備えており、前記液晶型位相変調素子を電気的にスイッチングすることにより、前記青色光は前記基材厚がｔ１の基材を通して集光され、前記赤色光は前記基材厚がｔ２の基材を通して集光され、かつ透過波面に与える位相変調量を切り替えて、基材厚差による収差を補正する請求項３に記載の光学レンズ。
【請求項６】
ホログラムをさらに備えており、前記ホログラムの回折格子の深さの設定により、青色光に対しては＋２次回折光が最も強く発生し、赤色光に対しては＋１次回折光が最も強く発生するようにして、基材厚差による収差を補正する請求項３に記載の光学レンズ。
【請求項７】
ホログラムと、屈折型レンズと、位相段差とを備えた光学レンズであって、
前記ホログラムは、鋸歯状断面形状の鋸歯状格子を含んでおり、前記鋸歯状格子の深さの設定により、青色光に対しては＋２次回折光が最も強く発生し、赤色光に対しては＋１次回折光が最も強く発生し、
前記位相段差を前記青色光が透過する際に生じる光路長の差が、前記青色光の波長の５倍であることを特徴とする光学レンズ。
【請求項８】
前記鋸歯状格子の深さがｈ１であり、前記ｈ１は、前記青色光に対して約２波長の光路長の差を与える深さである請求項７に記載の光学レンズ。
【請求項９】
前記ホログラムのうち、前記ホログラムの光軸との交点を含む内周部に形成された前記鋸歯状格子の深さはｈ２であり、前記ｈ２は、前記赤色光に対して約１波長の光路長の差を与える深さである請求項７に記載の光学レンズ。
【請求項１０】
ホログラムと、屈折型レンズと、位相段差とを備えた光学レンズであって、
前記ホログラムは、青色光に対しては＋２次回折光が最も強く発生し、赤色光に対しては＋１次回折光が最も強く発生し、
前記ホログラムのホログラム格子は、少なくとも前記ホログラムの光軸との交点を含む内周部に形成され、
前記青色光の＋２次回折光は、基材厚がｔ１の基材を通して集光され、前記内周部を通る前記赤色光の＋１次回折光は、基材厚がｔ２の基材を通して集光され、ｔ１＜ｔ２であり、
前記位相段差を前記青色光が透過する際に生じる光路長の差が、前記青色光の波長の５倍であることを特徴とする光学レンズ。
【請求項１１】
前記内周部の外側の外周部に、さらにホログラム格子が形成されており、
前記外周部の前記ホログラム格子は鋸歯状断面形状の鋸歯状格子であり、前記外周部の鋸歯状格子の深さはｈ３であり、前記ｈ３は、前記青色光に対して約１波長の光路長の差を与える深さであり、
前記外周部においては、前記青色光に対して＋１次回折光が最も強く発生し、赤色光に対しても＋１次回折光が最も強く発生する請求項１０に記載の光学レンズ。
【請求項１２】
前記青色光は、基材厚ｔ１の基材を通して集光し、前記青色光の波長λ１が変化したときの焦点距離変化を低減させるように、前記ホログラムを凸レンズ型にして、前記青色光が前記ホログラムにより凸レンズ作用を受けるようにしている請求項７から１１のいずれかに記載の光学レンズ。
【請求項１３】
前記青色光は前記光学レンズによって基材厚がｔ１の基材を通して集光され、前記赤色光は基材厚がｔ２の基材を通して集光され、ｔ１＜ｔ２であり、
前記青色光が前記基材厚ｔ１の基材を通して集光するときは、前記赤色光が前記基材厚ｔ２の基材を通して集光するときに比べて、前記ホログラムによる凸レンズ作用を大きくして、前記赤色光の前記基材側の焦点位置を、前記青色光の前記基材側の焦点位置に比べて、前記光学レンズより離している請求項７から１１のいずれかに記載の光学レンズ。
【請求項１４】
前記青色光は前記光学レンズによって基材厚がｔ１の基材を通して集光され、前記赤色光は基材厚がｔ２の基材を通して集光され、ｔ１＜ｔ２であり、
前記赤色光が前記基材厚ｔ２の基材を通して集光するときは、前記青色光が前記基材厚ｔ１の基材を通して集光するときに比べて、前記ホログラムによる凸レンズ作用を小さくして、前記赤色光の前記基材側の焦点位置を、前記青色光の前記基材側の焦点位置に比べて、前記光学レンズより離している請求項７から１１のいずれかに記載の光学レンズ。
【請求項１５】
前記ホログラムの格子断面形状は、前記ホログラムを形成する基材の外周側に斜面を持つ鋸歯形状である請求項７から１４のいずれかに記載の光学レンズ。
【請求項１６】
前記ホログラム、前記屈折型レンズ、及び前記位相段差を一体固定している請求項７から１５のいずれかに記載の光学レンズ。
【請求項１７】
前記ホログラムを前記屈折型レンズ表面に一体形成している請求項７から１５のいずれかに記載の光学レンズ。
【請求項１８】
前記位相段差を前記屈折型レンズの表面に一体形成している請求項７から１５のいずれかに記載の光学レンズ。
【請求項１９】
波長の変化によって、屈折型レンズ又は屈折型レンズとホログラムとに生じる収差を、前記位相段差に生じる収差によって減じる請求項７から１８のいずれかに記載の光学レンズ。
【請求項２０】
青色光が基材厚がｔ１の基材を通して集光される開口数をＮＡｂ、赤色光が基材厚がｔ２の基材を通して集光される開口数をＮＡｒとすると、ｔ１＜ｔ２、かつ、ＮＡｂ＞ＮＡｒである請求項３から１９のいずれかに記載の光学レンズ。
【請求項２１】
請求項２から１９のいずれかに記載の光学レンズと、
波長λ１の青色光を出射する第１レーザー光源と、
波長λ２の赤色光を出射する第２レーザー光源と、
光情報媒体の記録面上で反射した光ビームを受けてその光量に応じて電気信号を出力する光検出部とを備えたことを特徴とする光ヘッド装置。
【請求項２２】
前記光学レンズは、前記第１レーザー光源からの第１光ビームを基材厚ｔ１の基材を通して第１光情報媒体の記録面上へ集光し、前記第２レーザー光源からの第２光ビームを基材厚ｔ２の基材を通して第２光情報媒体の記録面上へ集光し、ｔ１＜ｔ２である請求項２１に記載の光ヘッド装置。
【請求項２３】
前記第２光ビームを前記第２光情報媒体の記録面上へ集光する際に、前記第２光ビームを略平行光にするコリメートレンズを前記第２レーザー側に近づけて、拡散光にした前記第２光ビームを前記光学レンズに入射させて、前記第２光情報媒体側の焦点位置を前記光学レンズから離す請求項２１に記載の光ヘッド装置。
【請求項２４】
前記第１レーザー及び前記第２レーザーの発光点の両方を、前記光学レンズの光情報媒体側の焦点位置に対して結像関係にあるように配置することによって、共通の光検出器からサーボ信号を検出する請求項２１に記載の光ヘッド装置。
【請求項２５】
請求項２から１９のいずれかに記載の光学レンズとレーザー光源とを含む光ヘッド装置と、
光情報媒体を回転するモーターと、
前記光ヘッド装置から得られる信号を受け前記信号に基づいて、前記モーター、前記光学レンズ、及び前記レーザー光源の少なくともいずれかを制御及び駆動する電気回路とを備えたことを特徴とする光情報装置。
【請求項２６】
前記レーザー光源は、波長λ１の青色光を出射する第１レーザー光源と、波長λ２の赤色光を出射する第２レーザー光源とであり、
前記光情報媒体の種類を判別して、基材厚が約０．６ｍｍの光情報媒体に対してはコリメートレンズを第２レーザー光源側に移動する請求項２５に記載の光情報装置。
【請求項２７】
請求項２５又は２６に記載の光情報装置を備え、
入力された情報、及び前記光情報装置から再生された情報の少なくともいずれかに基づいて演算を行う演算装置と、
前記入力された情報、前記光情報装置から再生された情報、及び前記演算装置によって演算された結果の少なくともいずれかを出力する出力装置を備えたことを特徴とするコンピュータ。
【請求項２８】
請求項２５又は２６に記載の光情報装置と、前記光情報装置から得られる情報信号を画像に変換するデコーダーと備えたことを特徴とする光情報媒体プレーヤー。
【請求項２９】
請求項２５又は２６に記載の光情報装置と、前記光情報装置から得られる情報信号を画像に変換するデコーダーとを備えたカーナビゲーションシステム。
【請求項３０】
請求項２５又は２６に記載の光情報装置と、画像情報を前記光情報装置によって記録する情報に変換するエンコーダーとを備えた光情報媒体レコーダー。
【請求項３１】
請求項２５又は２６に記載の光情報装置と、外部との情報のやりとりを行う入出力端子とを備えた光情報媒体サーバー。
【請求項３２】
１波長の光に対応した光学レンズであって、位相段差を備えており、前記位相段差を前記光が透過する際に生じる光路長の差が、前記光の波長の整数倍であることを特徴とする光学レンズ。
【請求項３３】
請求項３２に記載の光学レンズと、
光ビームを出射するレーザー光源と、
光情報媒体の記録面上で反射した光ビームを受けてその光量に応じて電気信号を出力する光検出部とを備え、
前記光学レンズは、前記レーザー光源からの光ビームを基材を通して光情報媒体の記録面上へ集光することを特徴とする光ヘッド装置。
【手続補正２】
【補正対象書類名】明細書
【補正対象項目名】００３１
【補正方法】変更
【補正の内容】
【００３１】
本発明の第１の光学レンズは、赤色光と青色光の少なくとも２波長に対応した光学レンズであって、位相段差を備え、前記位相段差を前記青色光が透過する際に生じる光路長の差が、前記青色光の波長の５倍であることを特徴とする。
【手続補正３】
【補正対象書類名】明細書
【補正対象項目名】００３４
【補正方法】変更
【補正の内容】
【００３４】
本発明の第１の光ヘッド装置は、前記各光学レンズと、波長λ１の青色光を出射する第１レーザー光源と、波長λ２の赤色光を出射する第２レーザー光源と、光情報媒体の記録面上で反射した光ビームを受けてその光量に応じて電気信号を出力する光検出部とを備えたことを特徴とする。
【手続補正４】
【補正対象書類名】明細書
【補正対象項目名】００５１
【補正方法】変更
【補正の内容】
【００５１】
前記第１の光学レンズにおいては、前記青色光は前記光学レンズによって基材厚がｔ１の基材を通して集光され、前記赤色光は基材厚がｔ２の基材を通して集光され、ｔ１＜ｔ２であることが好ましい。
また、液晶型位相変調素子をさらに備えており、前記液晶型位相変調素子を電気的にスイッチングすることにより、前記青色光は前記基材厚がｔ１の基材を通して集光され、前記赤色光は前記基材厚がｔ２の基材を通して集光され、かつ透過波面に与える位相変調量を切り替えて、基材厚差による収差を補正することが好ましい。この構成によれば、ホログラムを用いることなく、液晶型位相変調素子によって、基材厚差による収差を補正することができる。
また、ホログラムをさらに備えており、前記ホログラムの回折格子の深さの設定により、青色光に対しては＋２次回折光が最も強く発生し、赤色光に対しては＋１次回折光が最も強く発生するようにして、基材厚差による収差を補正することが好ましい。
【手続補正５】
【補正対象書類名】明細書
【補正対象項目名】００６３
【補正方法】変更
【補正の内容】
【００６３】
前記光ヘッド装置においては、前記光学レンズは、前記第１レーザー光源からの第１光ビームを基材厚ｔ１の基材を通して第１光情報媒体の記録面上へ集光し、前記第２レーザー光源からの第２光ビームを基材厚ｔ２の基材を通して第２光情報媒体の記録面上へ集光し、ｔ１＜ｔ２であることが好ましい。
また、前記第２光ビームを前記第２光情報媒体の記録面上へ集光する際に、前記第２光ビームを略平行光にするコリメートレンズを前記第２レーザー側に近づけて、拡散光にした前記第２光ビームを前記光学レンズに入射させて、前記第２光情報媒体側の焦点位置を前記光学レンズから離すことが好ましい。